(57)【特許請求の範囲】
【請求項１】
二つ割の筒状ハウジング内にモータを収納している小型電気機器であって、
軸方向と直交する方向に分割されている上記ハウジングは上記モータの一端側と他端側の少なくとも２カ所以上の外周面にそれぞれリングが装着されて、これらリングによって二つ割ハウジングが結合されており、
上記ハウジングの軸方向端部にはそれぞれバヨネット結合によって他部材が装着されているとともに、これら他部材によって上記リングの抜け止め固定がなされていることを特徴とする小型電気機器。
【請求項２】
上記モータ外周面が上記ハウジング内周面に隙間なく接していることを特徴とする請求項１記載の小型電気機器。
【請求項３】
上記リングのうちの少なくとも一つは外観上のアクセントを兼ねる化粧リングとなっていることを特徴とする請求項１または２に記載の小型電気機器。
【請求項４】
上記リングのうちの一つのリングの外周上に上記ハウジングの軸方向にスライド自在なスイッチハンドルが配されているとともに、上記ハウジングの外周にハウジングの軸方向に着脱自在に装着されるキャップを備えており、上記キャップはハウジングへの装着時にその端縁で上記スイッチハンドルを押圧してスイッチハンドルをオフ位置に保持するものであることを特徴とする請求項１〜３のいずれか１項に記載の小型電気機器。
【発明の詳細な説明】
【技術分野】
【０００１】
本発明は小型電気機器、殊に小径筒状のハウジング内にモータを内蔵している小型電気機器に関するものである。
【背景技術】
【０００２】
鼻毛カッターや眉毛カッター、電動歯ブラシといった円筒状モータを小径筒状のハウジング内に内蔵している小型電気機器では、軸方向と直交する方向に二つ割としたハウジング内にモータを納めた後、二つ割ハウジングを結合している。この結合は、二つ割ハウジングの一方に設けたフックを他方に係止することで行ったり、ビス止めで行っているが、この場合、ハウジング内面とモータ外周面との間にフック止めのための空間やビス挿通部を設けることになるために、モータ外径に比してハウジング外径が大きくなりがちであり、しかもハウジング内面とモータ外周面との間に隙間があれば、モータの共鳴音が発生して騒音が大きくなるという問題も有している。もちろん、モータ部分を避けてフックやビス挿通部を設ければ、ハウジング外径を小さく抑えることができるものの、ハウジングの軸方向全長を長くしなくてはならなくなる。
【０００３】
加えるに、フックを用いたものでは衝撃でフックが外れることがないようにフック強度を高くする関係上、ハウジングを分解することが困難であり、また手間がかかるという問題も有している。
【先行技術文献】
【特許文献】
【０００４】
【特許文献１】特開２０１１−６２４４７号公報
【発明の概要】
【発明が解決しようとする課題】
【０００５】
本発明はこのような点に鑑みなされたもので、モータを内蔵するハウジングを細く且つ短くすることができる小型電気機器を提供すること及び分解組立が容易である小型電気機器を提供することを課題とする。
【課題を解決するための手段】
【０００６】
本発明は、二つ割の筒状ハウジング内にモータを収納している小型電気機器であって、軸方向と直交する方向に分割されている上記ハウジングは上記モータの一端側と他端側の少なくとも２カ所以上の外周面にそれぞれリングが装着されて、これらリングによって二つ割ハウジングが結合されており、上記ハウジングの軸方向端部にはそれぞれバヨネット結合によって他部材が装着されているとともに、これら他部材によって上記リングの抜け止め固定がなされていることに特徴を有している。
【０００８】
また、上記モータ外周面が上記ハウジング内周面に隙間なく接していることが好ましい。
【０００９】
上記リングのうちの少なくとも一つは外観上のアクセントを兼ねる化粧リングとなっているのも好ましい。
【００１０】
さらには、上記リングのうちの一つのリングの外周上に上記ハウジングの軸方向にスライド自在なスイッチハンドルが配されているとともに、上記ハウジングの外周にハウジングの軸方向に着脱自在に装着されるキャップを備えており、上記キャップはハウジングへの装着時にその端縁で上記スイッチハンドルを押圧してスイッチハンドルをオフ位置に保持するものを好適に用いることができる。
【発明の効果】
【００１１】
本発明においては、二つ割のハウジングをフックやビス止めなどを利用して結合するものに比して、簡単に且つ確実に結合することができるものであり、また、フックやビス止めのための空間をハウジング内部に設ける必要がないためにモータ外径に比してハウジング外径を小さく抑えることができるとともに、軸方向寸法も短くすることができる。しかもリングを外すだけでハウジングを分割できるために分解も容易でメンテナンス性も良好である。また、ハウジングの軸方向端部にバヨネット結合される他部材によってリングが抜け落ちることもない。
【図面の簡単な説明】
【００１２】
【図１】本発明の実施の形態の一例を示すもので、(a)は正面図、(b)は側面図、(c)は縦断面図である。
【図２】同上の分解斜視図である。
【図３】同上のハウジング組立手順を示す斜視図である。
【図４】(a)は同上のモータ付近の部分縦断面図、(b)は同上のモータ部分の横断面図である。
【図５】同上のスイッチ付近の部分縦断面図である。
【図６】同上のキャップを装着した状態を示すもので、(a)は正面図、(b)は側面図、(c)は縦断面図である。
【発明を実施するための形態】
【００１３】
本発明を実施の形態の一例に基づいて詳述すると、図示例の電気機器は鼻毛カッターであって、細長い円筒状のモータ２を内蔵する円筒状のハウジング１の一端に刃ブロック５が配されている。そしてハウジング１の軸方向一端側には図６に示すように有底筒状のキャップ３が着脱自在に被せられ、ハウジング１の軸方向他端側には有底筒状の電池室カバー４が被せられる。
【００１４】
上記ハウジング１は、その軸方向と直交する方向に分割された二つ割のものとして形成されており、一方のハウジング１１は電池収納部１３を有する分だけ他方のハウジング１２より長くなっている。そして両ハウジング１１，１２間には、前記モータ２のほかに、図２に示すように、プリント基板８７、モータ２の両極とプリント基板８７との間をつなぐ金具９１，９３、電池収納部１３に収納される電池の両極とプリント基板８７との間をつなぐ金具９０，９２、そして接点ばね８６を備えたスライド板８５等が収納される。図中８５は電池収納室１３に配されるクッション材、９６は電池の方向性が記されたシール、９７は電池接触ばねである。
【００１５】
上記ハウジング１１，１２で構成されるハウジング１の一端に装着される刃ブロック５は、外刃５１を備えた外刃フレーム５０と、内刃５３を備えた内刃フレーム５とからなるもので、内刃フレーム５２は上記モータ２の出力軸に継ぎ手２１を介して連結される。外刃フレーム５０はその内面に設けられている突起５５を、ハウジング１の一端外周面に形成されている係合溝１７にバヨネット結合されることでハウジング１に連結される。
【００１６】
ここにおいて、上記ハウジング１は、前述のように軸方向と直交する方向において分割されたハウジング１１，１２で構成されたものであるが、両ハウジング１１，１２の結合は、図３にも示すように、一対のリング６，７によってなされている。ハウジング１の大径部と同じ外径を有するリング６は、両ハウジング１１，１２の一端側のやや細くなっている部分に被せられるものであり、他方のリング７はモータ２の収納部と電池収納部１３の間のやや細くなっている部分（ハウジング１１の中程）で両ハウジング１１，１２に被せられる。
【００１７】
そしてリング６は、ハウジング１及び外刃フレーム５０と同色のものとして形成されており、ハウジング１の一端にバヨネット結合で連結された外刃フレーム５０とハウジング１の大径部分との間に位置する。つまり、リング６はハウジング１への外刃フレーム５０の装着により、抜け止め固定される。
【００１８】
リング７も同様に電池カバー４とハウジング１の大径部分との間に位置し、さらにハウジング１外周面に設けた係合溝１８に内面の突起（図示せず）をバヨネット結合させる電池カバー４によって抜け止め固定される。なお、リング７の外径はハウジング１の大径部の外径よりもやや大きい外径を持つとともに、電池カバー４とほぼ等しい外径を持つものとなっている。また、ハウジング１の一端側に刃ブロック５を覆うかたちで被せられるキャップ３も、リング７の外径とほぼ等しい外径を持つために、電池カバー４を装着するとともにキャップ３を被せた状態では、図６に示すように、キャップ３と電池カバー４とこの両者の間に露出するリング７とは軸方向において、ほぼ段差なく連続する外形を呈するものとなっている。また、リング７はハウジング１及びキャップ３並びに電池カバー４と異なる色に仕上げられており、このためにリング７は外観上、アクセントリング（化粧リング）としての機能も果たしている。
【００１９】
また、ここではリング７の部分にスライド型のスイッチハンドル８を配している。リング７の外周面に設けた軸方向の溝７０内に配されるスイッチハンドル８は、ハウジング１を貫通して前記スライド板８５に連結される脚部８０，８０を備えたもので、その一部はハウジング１の外面に設けた凹部１５に位置することで、キャップ３との干渉が防がれている。
【００２０】
スイッチハンドル８をスライドさせれば、スイッチハンドル８と一体にスライドするスライド板８５に設けた接点ばね８６がプリント基板８７のパターン上を摺動してモータ２への電流供給のオンオフを行う。
【００２１】
なお、スイッチハンドル８におけるリング７の溝７０内に位置する部分は、キャップ３が装着された時、キャップ７の端縁で押されることで、オフ位置に固定され、キャップ３を外さないことにはモータ２への給電を行うことができないものとなっている上に、スイッチハンドル８がオン位置にある状態でキャップ３を装着すれば、スイッチハンドル８はオフ位置に戻される。
【００２２】
この小型電気機器では、前述のように二つ割のハウジング１１，１２で形成された円筒状のハウジング１は、モータ２と重ならない軸方向位置において被せられたリング６，７によってハウジング１１，１２の結合がなされており、ハウジング１１，１２の内面側には両者の結合のための部材やスペースを何ら必要としていない。このために、図４(b)に示すように、ハウジング１内周面がモータ２の外周面に隙間なく接するものとでき、ハウジング１の小径化に有効である上に、隙間がある場合に生じるモータ２の共鳴音の問題も無くすことができて、静音駆動の点で有利である。
【００２３】
また、各リング６，７は、ハウジング１にバヨネット結合で装着される外刃フレーム５０及び電池カバー４によって抜け止め固定されるものであり、リング６，７の抜け止めに別途部材を必要とせず、リング６，７が容易に外れてしまうということもない。しかも外刃フレーム５０及び電池カバー４のハウジング１に対するバヨネット結合を解除すれば、リング６，７を容易に抜き取ってハウジング１を分解することができるために、そして、外刃フレーム５０及び電池カバー４の着脱にも工具を必要としたりしないために、メンテナンスの点でも優れた構造を持つ。
【００２４】
鼻毛カッターである場合を例に示したが、本発明はモータ２を細長いハウジング１内に収納する形態の小型電気機器であれば、どのような種類の電気機器にも適用することができる。
【符号の説明】
【００２５】
１  ハウジング
２  モータ
３  キャップ
４  電池カバー
６  リング
７  リング
８  スイッチハンドル
１１  ハウジング
１２  ハウジング
【図１】
0005807203.tif 000002
【図２】
0005807203.tif 000003
【図３】
0005807203.tif 000004
【図４】
0005807203.tif 000005
【図５】
0005807203.tif 000006
【図６】
0005807203.tif 000007